(57)【要約】      （修正有）【課題】前後にスペースがなくとも設置でき、上部に配置される目地プレート等の荷重を支持できる床用目地装置を提供する。【解決手段】躯体間目地部を塞ぐ床用目地装置で、一方の躯体に一端部を、他方の躯体に他端部を取付けた支持機構と、その上部に設けられ常時目地部の略中央に位置する補助プレートと、一方の躯体に一端部を取付けると共に補助プレートに他端部を支持される可動目地プレートと、他方の躯体に一端部を取付けると共に補助プレートに他端部を支持され、可動目地プレートの他端部付近にその他端部が位置する固定目地プレートとで構成され、支持機構は、両端部が回動可能に左右躯体に取付けた略逆三角形状のリンク部材と、その上部に取付けられ補助プレートを下方から支持する支持プレートとを有し、可動目地プレートは、上下移動可能に一方の躯体に取付けられ、地震で目地部が狭くなった場合は地震動吸収のため固定目地プレートに乗り上げる。【選択図】図１
2018193824.tif 000002
【特許請求の範囲】
【請求項１】
左右の躯体間の目地部を塞ぐ床用目地装置であって、一方の躯体にその一端部が取り付けられ、他方の躯体にその他端部が取り付けられた支持機構と、該支持機構の上部に設けられ、常時前記目地部の略中央に位置する補助プレートと、前記一方の躯体にその一端部が取り付けられているとともに、前記補助プレートにその他端部が支持される可動目地プレートと、前記他方の躯体にその一端部が取り付けられているとともに、前記補助プレートにその他端部が支持され、かつ、前記可動目地プレートの他端部付近に、その他端部が位置する固定目地プレートとで構成され、
前記支持機構は、その両端部が回動可能に左右の躯体に取り付けられた全体として略逆三角形状のリンク部材と、該リンク部材の上部に取り付けられ、かつ、前記補助プレートを下方から支持する支持プレートとを有し、さらに、前記可動目地プレートは、上下方向に移動可能に前記一方の躯体に取り付けられており、地震によって前記目地部が狭くなった場合には、地震による揺れ動きを吸収できるように前記固定目地プレートに乗り上げるものである床用目地装置。
【請求項２】
前記可動目地プレートの他端部には、ヒンジ部材を介してカバープレートが取り付けられていることを特徴とする請求項１記載の床用目地装置。
【請求項３】
前記固定目地プレートの他端部には、乗り上げ傾斜面が形成されていることを特徴とする請求項１又は請求項２のいずれかに記載の床用目地装置。
【発明の詳細な説明】
【技術分野】
【０００１】
本発明は目地部を介して設けられた躯体の間の目地部を塞ぐ床用目地装置に関する。
【背景技術】
【０００２】
従来、このような床用目地装置としては、「境界線、建物あるいは躯体と他方の建物との間にあらかじめ設定された建物の最大の移動値の２倍よりも乗り代分だけ大きな幅寸法に形成された目地部と、一端が前記境界線、建物あるいは躯体の目地部側躯体に支持され、他端が前記他方の建物の目地部側躯体に目地部が広くなったり、狭くなる揺れ動きを吸収できるように回動可能に支持された少なくとも２個以上の平行に配置あるいはクロス状に配置された支持桁と、この少なくとも２個以上の平行に配置あるいはクロス状に配置された支持桁のほぼ中央部に枢支されたほぼ目地部の半分の幅寸法の中央目地プレートと、前記他方の建物の目地部側躯体に後端部が取付けられ、先端部が前記中央目地プレートのほぼ中央部に位置して支持される一方の目地プレートと、前記境界線、建物あるいは躯体の目地部側躯体に後端部が取付けられ、先端部が前記中央目地プレートのほぼ中央部に位置して支持され、目地部が狭くなると前記一方の目地プレートを押し上げ、あるいは該一方の目地プレートによって押し上げられる他方の目地プレートとからなることを特徴とする床用目地装置」が知られている（特許文献１）。
【０００３】
しかしながら、このような床用目地装置では、地震によって目地部が狭くなった場合等には、支持桁の端部が前後方向にスライドするため、例えば左右いずれかの躯体がＬ字状等に形成され、目地部に角部が存在するような場合には、支持桁がスライドするためのスペースが十分に確保できないという欠点があった。
【先行技術文献】
【特許文献】
【０００４】
【特許文献１】特許第４５７９８６１号公報
【発明の概要】
【発明が解決しようとする課題】
【０００５】
本発明は以上のような従来の欠点に鑑み、前後方向に十分なスペースがなくとも設置でき、かつ、上部に配置される目地プレート等の荷重を受けることができる支持機構を有する床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の床用目地装置は、左右の躯体間の目地部を塞ぐ床用目地装置であって、一方の躯体にその一端部が取り付けられ、他方の躯体にその他端部が取り付けられた支持機構と、該支持機構の上部に設けられ、常時前記目地部の略中央に位置する補助プレートと、前記一方の躯体にその一端部が取り付けられているとともに、前記補助プレートにその他端部が支持される可動目地プレートと、前記他方の躯体にその一端部が取り付けられているとともに、前記補助プレートにその他端部が支持され、かつ、前記可動目地プレートの他端部付近に、その他端部が位置する固定目地プレートとで構成され、前記支持機構は、その両端部が回動可能に左右の躯体に取り付けられた全体として略逆三角形状のリンク部材と、該リンク部材の上部に取り付けられ、かつ、前記補助プレートを下方から支持する支持プレートとを有し、さらに、前記可動目地プレートは、上下方向に移動可能に前記一方の躯体に取り付けられており、地震によって前記目地部が狭くなった場合には、地震による揺れ動きを吸収できるように前記固定目地プレートに乗り上げるものである。
【発明の効果】
【０００８】
以上の説明から明らかなように、本発明にあっては次に列挙する効果が得られる。
（１）請求項１に記載の発明においては、両端部が回動可能に左右の躯体に取り付けられた少なくとも２個以上のリンク部材と、このリンク部材に取り付けられた支持プレートで支持機構を構成しているので、支持機構の前後方向に十分なスペースを有しない場合であっても、支持機構を取付けることができる。
（２）補助プレートは支持プレート上に設けられているので、支持プレートと補助プレートが面接触状態で接しているので、例えば、左右の躯体が揺れ動き、目地部が狭くなったり、広くなった場合であっても補助プレートが不安定な状態となることを防止できる。
（３）請求項２及び請求項３に記載された各発明においても、前記（１）〜（２）と同様な効果が得られる。
【図面の簡単な説明】
【０００９】
図１乃至図８は本発明の第１の実施形態を示す説明図である。
図９乃至図１３は本発明の第２の実施形態を示す説明図である。
【図１】第１の実施形態を示す床用目地装置の平面図（通常時）。
【図２】図１の２−２線に沿う断面図。
【図３】支持機構の説明図。
【図４】可動目地プレートの説明図。
【図５】固定目地プレートの説明図。
【図６】地震で目地部が狭くなった正面視側からの動作説明図。
【図７】地震で目地部が広くなった正面視側からの動作説明図。
【図８】地震で左右の躯体が異なる前後方向に揺れ動いた場合の平面視側からの動作説明図。
【図９】第２の実施形態を示す床用目地装置の平面図。
【図１０】図９の１０−１０線に沿う断面図。
【図１１】地震で目地部が狭くなった正面視側からの動作説明図。
【図１２】地震で目地部が広くなった正面視側からの動作説明図。
【図１３】地震で左右の躯体が異なる前後方向に揺れ動いた場合の平面視側からの動作説明図。
【発明を実施するための形態】
【００１０】
以下、図面に示す本発明を実施するための形態により、本発明を詳細に説明する。
図１乃至図８に示す本発明を実施するための第１の形態において、１は目地部２を介して設けられた一方の躯体３及び他方の躯体４間に設置された床用目地装置である。
なお、左右方向とは図１（平面視）における左右方向であり、前後方向とは図１における上下方向、上下方向とは図２における上下方向をいう。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
本実施形態の床用目地装置１は、図１及び図２に示すように、一方の躯体３にその一端部が取り付けられ、他方の躯体４にその他端部が取り付けられた支持機構５と、該支持機構５の上部に設けられ、常時目地部２の略中央に位置する補助プレート６と、前記一方の躯体３にその一端部７ａが取り付けられ、前記補助プレート６にその他端部７ｂが支持される可動目地プレート７と、前記他方の躯体４にその一端部８ａが取り付けられ、前記補助プレート６にその他端部８ｂが支持されるとともに、前記可動目地プレート７の他端部７ｂ付近に、その他端部８ｂが位置する固定目地プレート８とで構成されている。
【００１３】
支持機構５は、本実施形態では図３に示すように、左右の躯体３、４に取付具５ａを介して、その両端部が回動可能に取り付けられた複数個のリンク部材９と、このリンク部材９の少なくとも中央の枢支部１０ａ、本実施形態では中央及びその両側部の枢支部１０にそれぞれ設けられた支持プレート１１とで構成されている。
なお、本実施形態では左右端部の枢支部に、端部支持プレートを取付けてもよい。
前記リンク部材９は、本実施形態では２個設けられており、全体として略逆三角形状に形成されているものである
この支持プレート１１は、本実施形態ではパイプ状の支持バー１２に固定されており、この支持バー１２は、前記枢支部１０と連動するようにリンク部材９に取り付けられている。この支持バー１２は、前記枢支部１０及びその垂直下方向のリンク部材９の接続部１３にそれぞれ設けられたパイプ部材１４に挿入される軸部材１５を有しており、この軸部材１５を前記パイプ部材１４に挿入することにより、前記枢支部１０と連動するようにリンク部材９に取り付けられる。
【００１４】
なお、支持プレート１１を有しない枢支部１０にもバー部材１２を取付けることが望ましい。それはバー部材１２を取付けることにより、支持プレート１１の突出端部をバー部材１２で支持することができ、荷重を分散できるからである。
【００１５】
補助プレート６は、本実施形態では方形状の板材であり、前記支持プレート１１上に配置されており、その中央部が目地部の略中央部に常時位置するように、前記枢支部１０の内、目地部２の中央に位置する枢支部１０ａに設けられた支持プレート１１ａに図示しないビス等で取り付けられている。
【００１６】
可動目地プレート７は、図４に示すように、浅皿状の可動目地プレート本体１６と、この可動目地プレート本体１６に充填されたモルタルやコンクリート等の充填部材１７と、この充填部材１７の上部に設けられた化粧板１８と、可動目地プレート本体１６の一端部側の両側部に設けられた取付ピン１９と、可動目地プレート本体１６の他端部にヒンジ部材２０を介して設けられたカバープレート２１とで構成されている。
【００１７】
この可動目地プレート７は、その一端部７ａが一方の躯体３に支持されており、一方の躯体３には、この可動目地プレート７を支持する凹所状の可動目地プレート支持部２２が設けられている。この可動目地プレート支持部２２には、可動目地プレート７の取付ピン１９が挿入されるピン挿入孔２３が設けられている。
【００１８】
可動目地プレート７の底面の一端部７ａ側の両側部には、取付ピン１９が固定されており、この取付ピン１９を前記ピン挿入孔２３に挿入した状態で取付けることにより、可動目地プレート７は上下方向に移動可能な状態で、その一端部７ａが一方の躯体３に支持される。
【００１９】
一方、可動目地プレート７の他端部７ｂは前記補助プレート６に支持されており、本実施形態では他端部７ｂは補助プレート６の略中央部に位置するような長さに形成されている。
【００２０】
固定目地プレート８は、図５に示すように、浅皿状の固定目地プレート本体２４と、この可動目地プレート本体２４に充填されたモルタルやコンクリート等の充填部材１７と、この充填部材１７の上部に設けられた化粧板１８と、固定目地プレート本体２４の一端部側の両側部に設けられた取付ピン１９と、固定目地プレート本体２４の他端部に形成された乗り上げ傾斜面２５とで構成されている。
【００２１】
この固定目地プレート８は、その一端部８ａが他方の躯体４に支持されており、他方の躯体４には、この固定目地プレート８を支持する固定目地プレート支持部２６が設けられている。この固定目地プレート８も前記可動目地プレート７と同様の機構で他方の躯体４に支持状態で取り付けられている。
【００２２】
固定目地プレート８の他端部８ｂは補助プレート６に支持されている。また、固定目地プレート８の他端部８ｂは、設置状態において可動目地プレート７の他端部７ｂに略当接するような長さに形成されている。
【００２３】
ところで、固定目地プレート８の他端部８ｂに乗り上げ傾斜面２５を形成せず、可動目地プレート７の他端部７ｂに傾斜面を形成し、地震によって目地部２が狭くなった際に、可動目地プレート７が固定目地プレート８に乗り上げるようにしてもよい。
【００２４】
また、可動目地プレート支持部２１や固定目地プレート支持部２５は、本実施形態では一方の躯体３や他方の躯体４に凹所状に形成されているが、例えばアングル状の金具等を一方の躯体３や他方の躯体４にビス等で固定し、可動目地プレート支持部２２や固定目地プレート支持部２６としてもよい。
【００２５】
地震で躯体３、４が左右方向に揺れ動き目地部２が狭くなると、図６に示すように、可動目地プレート７は固定目地プレート８の乗り上げ傾斜面２４を乗り上げ、略垂直に上方にせり上がり、固定目地プレート８の上面をスライド移動し、地震による揺れ動きを吸収する。
【００２６】
地震で躯体３、４が左右方向に揺れ動き目地部２が広くなると、図７に示すように、可動目地プレート７と固定目地プレート８は離間するが、補助プレート６が可動目地プレート７と固定目地プレート８の下部に位置するため、目地部２に隙間が生じることなく地震による揺れ動きを吸収することができる。
【００２７】
地震で躯体３、４が異なる前後方向に揺れ動くと、図８に示すように、可動目地プレート７及び固定目地プレート８が補助プレート６の上面を前後方向にスライド移動し、地震による揺れ動きを吸収する。この時、支持機構５のリンク部材９はその両端部が前後方向に回動して、地震による揺れ動きに追従する。リンク部材９がこのような動作をすることにより、前後方向にクリアランスを設ける余裕のない目地部２であっても床用目地装置１を設置することができる。
【００２８】
[発明を実施するための異なる形態]
次に、図８乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２９】
図８乃至図１２に示す本発明を実施するための第２の形態において、前記本発明を実施するための第１の形態と主に異なる点は、角部を有する目地部２Ａに設置する床用目地装置１Ａにした点で、このような床用目地装置１Ａでも前記本発明を実施するための第１の形態と同様の作用効果を得ることができる。
【００３０】
本実施形態では、その角部には角部用可動目地プレート７Ａと角部用固定目地プレート８Ａを用いるとともに、前後方向に延在する支持プレート１１及び補助プレート６、左右方向に延在する支持プレート１１及び補助プレート６を用いている。
【産業上の利用可能性】
【００３１】
本発明は床用目地装置を製造する産業で利用される。
【符号の説明】
【００３２】
１、１Ａ：床用目地装置、            ２、２Ａ：目地部、
３：一方の躯体、                    ４：他方の躯体、
５：支持機構、                      ６：補助プレート、
７、７Ａ：可動目地プレート、        ８、８Ａ：固定目地プレート、
９：リンク部材、                    １０：枢支部、
１１：支持プレート、                １２：支持バー、
１３：接続部、                      １４：パイプ部材、
１５：軸部材、                      １６：可動目地プレート本体、
１７：充填部材、                    １８：化粧板、
１９：取付ピン、                    ２０：ヒンジ部材、
２１：カバープレート、              ２２：可動目地プレート支持部、
２３：ピン挿入孔、                  ２４：固定目地プレート本体、
２５：乗り上げ傾斜面、              ２６：固定目地プレート支持部。
【図１】
2018193824.tif 000003
【図２】
2018193824.tif 000004
【図３】
2018193824.tif 000005
【図４】
2018193824.tif 000006
【図５】
2018193824.tif 000007
【図６】
2018193824.tif 000008
【図７】
2018193824.tif 000009
【図８】
2018193824.tif 000010
【図９】
2018193824.tif 000011
【図１０】
2018193824.tif 000012
【図１１】
2018193824.tif 000013
【図１２】
2018193824.tif 000014
【図１３】
2018193824.tif 000015